(57)【要約】  本発明は、バックライトユニット、およびバックライトユニットを搭載する液晶表示装置に関する。  バックライトユニットでは、処理制御部（１３）が、赤色ＬＥＤチップ（４２Ｒ）の光源用赤色映像信号（ＲＳｄ）に対して、その光源用赤色映像信号とその赤色ＬＥＤチップの輝度との関係に基づいた補正処理（基礎補正処理）をＬＵＴ（Ｒα）を用いて行い、さらに、その赤色ＬＥＤチップとは別の緑色ＬＥＤチップ（４２Ｇ）の光源用緑色映像信号（ＧＳｄ）に基づいた補正処理（追加補正処理）をＬＵＴ（Ｇβ１）を用いて行う。光源用赤色映像信号（ＲＳｄ）は、新たな光源用赤色映像信号（ＲＳｄ’）となる。  本発明のバックライトユニットでは、１つのＬＥＤチップが別のＬＥＤチップの瞬間的な発熱の影響を受けることによる輝度ムラおよび色度を低減できる。
2010064474.tif 000002
【特許請求の範囲】
【請求項１】
光量調整データに応じて発光する複数の光源と、
画像データに基づく光源制御データに対して補正処理することで、上記光量調整データを生成する制御部と、
を含むバックライトユニットにあって、
上記制御部が、第１の上記光源の第１光源制御データに対して、その第１光源制御データと第１の上記光源の輝度との関係に基づいた基礎補正処理を施し、さらに、第１の上記光源以外の別の上記光源の別光源制御データに基づいた追加補正処理を施すことで、第１光源制御データに対応する上記光量調整データを生成するバックライトユニット。
【請求項２】
別の上記光源とは、第１の上記光源に隣り合う単数または複数の第２の上記光源である請求項１に記載のバックライトユニット。
【請求項３】
別の上記光源とは、第１の上記光源に隣り合う単数または複数の第２の上記光源と、この第２の上記光源に隣り合う第３の上記光源とである請求項２に記載のバックライトユニット。
【請求項４】
上記光源は、混色による白色生成に要する単色光を出射し、
上記の第１の光源は赤色発光の光源であり、上記の第２の光源は緑色発光の光源である請求項２または３に記載のバックライトユニット。
【請求項５】
上記光源は、混色による白色生成に要する単色光を出射し、
上記の第１の光源は赤色発光の光源であり、上記第２の光源の少なくとも１つおよび上記第３の光源は緑色発光の光源である請求項３に記載のバックライトユニット。
【請求項６】
請求項１〜５のいずれか１項に記載のバックライトユニットと、
上記バックライトユニットからの光を受ける液晶表示パネルと、
を含む液晶表示装置。
【請求項７】
バックライトユニットにおける複数の光源を発光制御する光量調整データのデータ生成方法にあって、
画像データに基づく光源制御データに対して補正処理することで、上記光量調整データを生成する場合に、
第１の上記光源の第１光源制御データに対して、その第１光源制御データと第１の上記光源の輝度との関係に基づいた基礎補正処理を施し、さらに、第１の上記光源以外の別の上記光源の別光源制御データに基づいた追加補正処理を施すことで、第１光源制御データに対応する上記光量調整データを生成するデータ生成方法。
【請求項８】
光量調整データに応じて発光する複数の光源と、
画像データに基づく光源制御データに対して補正処理することで、上記光量調整データを生成する制御部と、
を含むバックライトユニットでの上記光量調整データのデータ生成プログラムにあって、
第１の上記光源の第１光源制御データに対して、その第１光源制御データと第１の上記光源の輝度との関係に基づいた基礎補正処理を施し、さらに、第１の上記光源以外の別の上記光源の別光源制御データに基づいた追加補正処理を施すことで、第１光源制御データに対応する上記光量調整データを生成するデータ生成プログラムを、上記制御部に実行させるデータ生成プログラム。
【請求項９】
請求項８に記載のデータ生成プログラムを記録しているコンピュータ読み取り可能な記録媒体。
【発明の詳細な説明】
【技術分野】
【０００１】
本発明は、照明装置の一例であるバックライトユニット、およびバックライトユニットを搭載する液晶表示装置に関する。また、本発明は、バックライトユニットの光源を制御する光量調整データのデータ生成方法、および光量調整データのデータ生成プログラム、さらに、そのデータ生成プログラムを記憶する記憶媒体にも関する。
【背景技術】
【０００２】
液晶表示装置にて、自発光しない液晶表示パネルが搭載されている場合、その液晶表示パネルに対して光を供給する照明装置、いわゆるバックライトユニットも、通常、搭載される。そして、昨今では、バックライトユニットに搭載される光源は、白色発光のＬＥＤ（Light  Emitting  Diode）であることがある（例えば、特許文献１）。【０００３】
このようなＬＥＤの一例として、赤色発光のＬＥＤチップ、緑色発光のＬＥＤチップ、青色発光のＬＥＤチップを含み、混色により白色光を生成するＬＥＤが挙げられる。ただし、ＬＥＤチップ（特に、赤色発光のＬＥＤチップ）は、自身の発光にともなう瞬間的な発熱の影響で、所望の輝度にならない（例えば、出射光量と輝度との関係が、正比例という基本関係にはならない）。【０００４】
そのため、このようなＬＥＤチップからの光の混合で生成される白色光の輝度も、所望の輝度にならない。その上、白色光としての色度も、所望の値にはならない。その結果、バックライトユニットからの光は、輝度ムラおよび色度ムラ等を含むことになる。【０００５】
このようなＬＥＤからの白色光の輝度ムラおよび色度ムラの解消のための一案として、ＬＥＤチップ毎（光源毎）の補正処理が挙げられる。詳説すると、１つのＬＥＤチップへの光源制御用の色映像信号に対して、その色映像信号とそのＬＥＤチップの輝度との関係に基づいた基礎補正処理を施し、補正後の信号で、ＬＥＤチップの発光を制御することである。
【先行技術文献】
【特許文献】
【０００６】
【特許文献１】特開２００６−１４５８８６号公報
【発明の概要】
【発明が解決しようとする課題】
【０００７】
しかしながら、１つのＬＥＤチップ（第１のＬＥＤチップ）が別のＬＥＤチップと隣り合っている場合、第１のＬＥＤチップの瞬間的な自己発熱のみを考慮して、光源制御用の色映像信号を補正しただけでは十分ではない。なぜなら、第１のＬＥＤチップは、別のＬＥＤチップの瞬間的な発熱の影響も受けて、輝度を変化させざるを得ないためである。したがって、一案として挙げた補正処理だけでは、バックライトユニットからの白色光は、輝度ムラおよび色度ムラ等を含まざるをえない。【０００８】
本発明は、上記の問題点を解決するためになされたものである。そして、その目的は、より確実に、輝度ムラおよび色度ムラ等を低減できるバックライトユニット等を提供することにある。
【課題を解決するための手段】
【０００９】
バックライトユニットは、光量調整データに応じて発光する複数の光源と、画像データに基づく光源制御データに対して補正処理することで、光量調整データを生成する制御部と、を含む。そして、このバックライトユニットでは、制御部が、第１の光源の第１光源制御データに対して、その第１光源制御データと第１の光源の輝度との関係に基づいた基礎補正処理を施し、さらに、第１の光源以外の第２の光源の別光源制御データに基づいた追加補正処理を施すことで、第１光源制御データに対応する光量調整データを生成する。【００１０】
このようになっていると、１つの光源（例えば赤色発光の光源）に対応する光源制御データから生成される光量調整データは、その第１の光源自身の光源制御データと第１の光源の輝度との関係に基づいた基礎補正処理だけでなく、別の光源の影響（瞬間的な別光源の発熱に関連する別光源制御データ）に基づく追加補正処理を受けて生成される。つまり、１つの光源に対して、周囲環境（隣りの光源の瞬間的な発熱）を考慮した補正処理が行われる。【００１１】
そのため、この補正処理（基礎補正処理・追加補正処理）を経た光量調整データに基づく光源の光は、例えば基礎補正処理のみを経た光量調整データに基づく光源の光に比べて、所望の光（輝度ムラおよび色度ムラ等を抑えた光）になる。その結果、バックライトユニットからの光も、輝度ムラおよび色度ムラ等を抑えた所望の光になる。【００１２】
なお、このようなバックライトユニットにおける複数の光源を制御する光量調整データのデータ生成方法は、画像データに基づく光源制御データに対して補正処理することで、光量調整データを生成する場合に、第１の光源の第１光源制御データに対して、その第１光源制御データと第１の光源の輝度との関係に基づいた基礎補正処理を施し、さらに、第１の光源以外の別の光源の別光源制御データに基づいた追加補正処理を施すことで、第１光源制御データに対応する光量調整データを生成する。【００１３】
また、このようなバックライトユニットでの光量調整データのデータ生成プログラムは、第１の光源の第１光源制御データに対して、その第１光源制御データと第１の光源の輝度との関係に基づいた基礎補正処理を施し、さらに、第１の光源以外の別の光源の別光源制御データに基づいた追加補正処理を施すことで、第１光源制御データに対応する光量調整データを生成するように、制御部を実行させる（なお、このデータ生成プログラムを記録しているコンピュータ読み取り可能な記録媒体も本発明といえる）。【００１４】
ところで、バックライトユニットにおける別の光源とは、第１の光源に隣り合う単数または複数の第２の光源であると望ましい。【００１５】
また、別の光源とは、第１の光源に隣り合う単数または複数の第２の光源と、この第２の光源に隣り合う第３の光源とであってもかまわない。【００１６】
なお、光源は、混色による白色生成に要する単色光を出射し、第１の光源は赤色発光の光源であり、第２の光源は緑色発光の光源であるとよい。【００１７】
また、光源は、混色による白色生成に要する単色光を出射し、第１の光源は赤色発光の光源であり、第２の光源の少なくとも１つおよび第３の光源は緑色発光の光源であってもよい。【００１８】
また、以上のバックライトユニットと、そのバックライトユニットからの光を受ける液晶表示パネルと、を含む液晶表示装置も本発明といえる。
【発明の効果】
【００１９】
本発明によれば、１つの光源に対応する光源制御データに対して、周囲環境を考慮した補正処理が行われる。そのため、この補正処理を経た光量調整データに基づいたバックライトユニットからの光は、周囲環境を考慮していない補正処理を経た光量調整データに基づいたバックライトユニットからの光に比べて、輝度ムラおよび色度ムラ等を抑えた所望の光になる。
【図面の簡単な説明】
【００２０】
【図１】は、液晶表示装置に含まれる種々部材を示すブロック図である。
【図２】は、赤色発光のＬＥＤチップにおけるＰＷＭ値と赤色光の輝度との相関図である。
【図３Ａ】は、補正処理されていない光源用赤色映像信号・光源用緑色映像信号・光源用青色映像信号に基づいて、ＬＥＤが発光した場合のＰＷＭ値と白色光の輝度との相関図である。
【図３Ｂ】は、赤色発光のＬＥＤチップの自己発熱のみを考慮した補正処理をされた光源用赤色映像信号と、補正処理をされていない光源用緑色映像信号・光源用青色映像信号とに基づいて、ＬＥＤが発光した場合のＰＷＭ値と白色光の輝度との相関図である。
【図３Ｃ】は、赤色発光のＬＥＤチップの自己発熱および緑色発光のＬＥＤチップの発熱を考慮した補正処理をされた光源用赤色映像信号と、補正処理をされていない光源用緑色映像信号・光源用青色映像信号とに基づいて、ＬＥＤが発光した場合のＰＷＭ値と輝度との相関図である。
【図４】は、光源用赤色映像信号だけが、赤色発光のＬＥＤチップの自己発熱のみを考慮した補正処理をされたことを説明する説明図である。
【図５】は、光源用赤色映像信号・光源用緑色映像信号・光源用青色映像信号が、各ＬＥＤチップの自己発熱のみを考慮した補正処理をされたことを説明する説明図である。
【図６】は、光源用赤色映像信号だけが、赤色発光のＬＥＤチップの自己発熱と緑色発光のＬＥＤチップの発熱とを考慮した補正処理をされたことを説明する説明図である。
【図７Ａ】は、補正処理されていない光源用赤色映像信号・光源用緑色映像信号・光源用青色映像信号に基づいて、ＬＥＤが発光した場合のＰＷＭ値と白色光の色度（ｘ）との相関図である。
【図７Ｂ】は、赤色発光のＬＥＤチップの自己発熱のみを考慮した補正処理をされた光源用赤色映像信号と、補正処理をされていない光源用緑色映像信号・光源用青色映像信号とに基づいて、ＬＥＤが発光した場合のＰＷＭ値と白色光の色度（ｘ）との相関図である。
【図７Ｃ】は、赤色発光のＬＥＤチップの自己発熱および緑色発光のＬＥＤチップの発熱を考慮した補正処理をされた光源用赤色映像信号と、補正処理をされていない光源用緑色映像信号・光源用青色映像信号とに基づいて、ＬＥＤが発光した場合のＰＷＭ値と色度（ｘ）との相関図である。
【図８Ａ】は、補正処理されていない光源用赤色映像信号・光源用緑色映像信号・光源用青色映像信号に基づいて、ＬＥＤが発光した場合のＰＷＭ値と白色光の色度（ｙ）との相関図である。
【図８Ｂ】は、赤色発光のＬＥＤチップの自己発熱のみを考慮した補正処理をされた光源用赤色映像信号と、補正処理をされていない光源用緑色映像信号・光源用青色映像信号とに基づいて、ＬＥＤが発光した場合のＰＷＭ値と白色光の色度（ｙ）との相関図である。
【図８Ｃ】は、赤色発光のＬＥＤチップの自己発熱および緑色発光のＬＥＤチップの発熱を考慮した補正処理をされた光源用赤色映像信号と、補正処理をされていない光源用緑色映像信号・光源用青色映像信号とに基づいて、ＬＥＤが発光した場合のＰＷＭ値と色度（ｙ）との相関図である。
【図９】は、光源用赤色映像信号だけが、赤色発光のＬＥＤチップの自己発熱と緑色発光のＬＥＤチップの発熱と青色発光のＬＥＤチップの発熱とを考慮した補正処理をされたことを説明する説明図である。
【図１０】は、光源用赤色映像信号が、赤色発光のＬＥＤチップの自己発熱と緑色発光のＬＥＤチップの発熱と青色発光のＬＥＤチップの発熱とを考慮した補正処理をされ、光源用緑色映像信号が、緑色発光のＬＥＤチップの自己発熱のみを考慮した補正処理をされ、光源用青色映像信号が、青色発光のＬＥＤチップの自己発熱のみを考慮した補正処理をされたことを説明する説明図である。
【図１１】は、光源用赤色映像信号が、赤色発光のＬＥＤチップの自己発熱と緑色発光のＬＥＤチップの発熱と青色発光のＬＥＤチップの発熱とを考慮した補正処理をされ、光源用緑色映像信号が、緑色発光のＬＥＤチップの自己発熱と赤色発光のＬＥＤチップの発熱と青色発光のＬＥＤチップの発熱とを考慮した補正処理をされ、光源用青色映像信号が、青色発光のＬＥＤチップの自己発熱と赤色発光のＬＥＤチップの発熱と緑色発光のＬＥＤチップの発熱とを考慮した補正処理をされたことを説明する説明図である。
【図１２】は、光源用赤色映像信号が、１つのＬＵＴ（赤色発光のＬＥＤチップの自己発熱と緑色発光のＬＥＤチップの発熱と青色発光のＬＥＤチップの発熱とを考慮して作成されたＬＵＴ）で補正処理をされたことを説明する説明図である。
【図１３】は、光源用赤色映像信号・光源用緑色映像信号・光源用青色映像信号が、１つのＬＵＴ（各ＬＥＤチップの自己発熱とそれ以外の２つのＬＥＤチップの発熱とを考慮して作成されたＬＵＴ）で補正処理をされたことを説明する説明図である。
【図１４】は、光源用赤色映像信号が、１つのＬＵＴ（赤色発光のＬＥＤチップの自己発熱と緑色発光のＬＥＤチップの発熱とを考慮して作成されたＬＵＴ）で補正処理をされたことを説明する説明図である。
【図１５】は、液晶表示装置に含まれる種々部材を示すブロック図である。
【図１６】は、液晶表示装置の分解斜視図である。
【図１７】は、液晶表示装置の分解斜視図である。
【図１８】は、液晶表示装置に含まれるバックライトユニットの一部を示す分解斜視図である。
【図１９Ａ】は、ＬＥＤチップが一端から他端に向かって、ＧＲＧＢ配列になったＬＥＤの正面図である。
【図１９Ｂ】は、ＬＥＤチップが一端から他端に向かって、ＧＲＢＧ配列になったＬＥＤの正面図である。
【図１９Ｃ】は、ＬＥＤチップが一端から他端に向かって、ＲＧＧＢ配列になったＬＥＤの正面図である。
【発明を実施するための形態】
【００２１】
［実施の形態１］
実施の一形態について、図面に基づいて説明すれば、以下の通りである。なお、便宜上、部材符号等を省略する場合もあるが、かかる場合、他の図面を参照するものとする。また、記載される数値実施例は、一例にすぎず、その数値に限定されるものではない。
【００２２】
図１７は液晶表示装置６９を示す分解斜視図である（なお、後述する導光板４３の個数は、便宜上、比較的少ない数しか図示していない）。また、図１８は液晶表示装置６９に含まれるバックライトユニット４９の一部を示す分解斜視図である。
【００２３】
図１７に示すように、液晶表示装置６９は、液晶表示パネル５９と、バックライトユニット４９と、それらを挟むハウジングＨＧ（ＨＧ１・ＨＧ２）を含む。
【００２４】
液晶表示パネル５９は、アクティブマトリックス方式を採用する。そのため、この液晶表示パネル５９では、不図示のＴＦＴ（Thin  Film  Transistor）等のアクティブ素子を取り付けられるアクティブマトリックス基板５１と、このアクティブマトリックス基板５１に対向する対向基板５２とで、液晶（不図示）を挟み込む。つまり、アクティブマトリックス基板５１および対向基板５２は、液晶を挟むための基板であり、透明なガラス等で形成される。
【００２５】
なお、アクティブマトリックス基板５１と対向基板５２との外縁には、不図示のシール材が取り付けられ、このシール材が液晶を封止する。また、アクティブマトリックス基板５１および対向基板５２を挟むように、偏光フィルムＰＬが取り付けられる。
【００２６】
この液晶表示パネル５９は非発光型の表示パネルなので、バックライトユニット４９からの光（バックライト光）を受光することで表示機能を発揮する。そのため、バックライトユニット４９からの光が液晶表示パネル５９の全面を均一に照射できれば、液晶表示パネル５９の表示品位が向上する。
【００２７】
そして、このようなバックライトユニット４９は、ＬＥＤモジュールＭＪ、導光板セットＳＴ、拡散シート４５、プリズムシート４６・４７を含む。
【００２８】
ＬＥＤモジュールＭＪは光を発するモジュールであり、部分拡大した分解斜視図である図１８に示すように、実装基板４０と、その実装基板４０における実装基板面４０Ｕに形成された電極に実装されることで電流の供給を受け、光を発するＬＥＤ（Light  Emitting  Diode）４１と、を含む。
【００２９】
また、ＬＥＤモジュールＭＪは、光量確保のために、複数の発光素子であるＬＥＤ（光源）４１を含むと望ましく、さらに、ＬＥＤ４１をマトリックス状に並列させると望ましい。ただし、図面では便宜上、一部のＬＥＤ４１のみが示されているにすぎない｛なお、以降では、ＬＥＤ４１の並ぶ一方向をＸ方向、このＸ方向に交差（例えば直交）する方向をＹ方向と称する｝。
【００３０】
なお、ＬＥＤ４１の種類は、特に限定されるものではない。一例として、図１９ＡのＬＥＤ４１の正面図に示すような、１個の赤色発光（Ｒ）のＬＥＤチップ４２Ｒ、２個の緑色発光（Ｇ）のＬＥＤチップ４２Ｇ、および１個の青色発光（Ｂ）のＬＥＤチップ４２Ｂを並列させ、混色により白色光を生成するＬＥＤ４１が挙げられる（なお、図１９Ａのように、一端から他端に向かって、ＬＥＤチップ４２Ｇ、ＬＥＤチップ４２Ｒ、ＬＥＤチップ４２Ｇ、ＬＥＤチップ４２Ｂと並ぶ場合、ＧＲＧＢ配列と称する）。
【００３１】
次に、導光板セットＳＴについて説明する。導光板セットＳＴは、導光板４３と反射シート４４とを含む。
【００３２】
導光板４３は、自身に入射するＬＥＤ４１の光を多重反射させて、外部に出射させる。この導光板４３は、図１８に示すように、光を受光する受光片４３Ｒと、この受光片４３Ｒにつながる出射片４３Ｓとを含む。
【００３３】
受光片４３Ｒは、板状部材であり、側壁の一部分に切欠ＫＣを有する。この切欠ＫＣは、自身の底ＫＣｂにＬＥＤ４１の発光面４２Ｌを対向させつつ、そのＬＥＤ４１を囲める程度のスペースを有する。そのため、この切欠ＫＣに収まるようにＬＥＤ４１が取り付けられると、切欠ＫＣの底ＫＣｂが導光板４３の受光面４３Ｒｓとなる。なお、受光片４３Ｒの側壁を挟む２面のうち、実装基板４０側に向く面を底面４３Ｒｂ、その底面４３Ｒｂの反対面を天面４３Ｒｕとする。
【００３４】
出射片４３Ｓは、受光片４３Ｒに並ぶようにして連なり、受光面４３Ｒｓから入射する光の進行先に位置する板状部材である。この出射片４３Ｓは、受光片４３Ｒの底面４３Ｒｂと同一面（面一）となる底面４３Ｓｂを有する一方、受光片４３Ｒの天面４３Ｒｕに対して高くなる段差を生じさせる天面４３Ｓｕを有する。
【００３５】
さらに、出射片４３Ｓにおける天面４３Ｓｕと底面４３Ｓｂとは、平行ではなく、一方面が他方面に対して傾斜する。詳説すると、受光面４３Ｒｓからの光の進行先に進むにつれて、底面４３Ｓｂが天面４３Ｓｕに近づくように傾く。つまり、出射片４３Ｓは、受光面４３Ｒｓからの光の進行先に進むにつれて、厚み（天面４３Ｓｕと底面４３Ｓｂとの間隔）を徐々に薄くすることで、先細りする（なお、このような先細りした出射片４３Ｓを含む導光板４３は、くさび形の導光板４３とも称される）。
【００３６】
そして、このような受光片４３Ｒと出射片４３Ｓとを含む導光板４３は、受光面４３Ｒｓから光を受光し、その光を底面４３ｂ（４３Ｒｂ・４３Ｓｂ）と天面４３ｕ（４３Ｒｕ・４３Ｓｕ）との間で多重反射させ、天面４３Ｓｕから外部に向けて出射させる（なお、天面４３Ｓｕから出射する光は面状光と称される）。
【００３７】
ただし、底面４３ｂに対する光の入射角の関係上、その光が底面４３ｂから出射してしまうこともある。そこで、このような事態を防止すべく、反射シート４４は、導光板４３の底面４３ｂを覆い、その底面４３ｂから漏れる光を導光板４３内部に戻すように反射させる（ただし、図１８では、便宜上、反射シート４４は省略する）。
【００３８】
なお、以上のような導光板セットＳＴにおける導光板４３は、ＬＥＤ４１に応じてマトリックス状に並ぶ。特に、このようにＹ方向に沿って導光板セットＳＴが並ぶ場合、受光片４３Ｒの天面４３Ｒｕが出射片４３Ｓの底面４３Ｓｂを支え、集まる天面４３Ｓｕで同一面が完成する（天面４３Ｓｕが面一で集まる）。
【００３９】
また、Ｘ方向に沿って導光板セットＳＴが並ぶ場合でも、集まる天面４３Ｓｕで同一面が完成する。その結果、導光板４３の天面４３Ｓｕは、マトリックス状に並ぶことで、比較的大型な光出射面となる（このようなマトリックス状に並ぶ導光板４３をタンデム型導光板４３とも称する）。
【００４０】
拡散シート４５は、マトリックス状に並ぶ導光板４３の天面４３Ｓｕを覆うように位置し、導光板４３からの面状光を拡散させて、液晶表示パネル５９全域に光をいきわたらせている｛なお、この拡散シート４５とプリズムシート４６・４７とを、まとめて光学シート群（４５〜４７）とも称する｝。
【００４１】
プリズムシート４６・４７は、例えばシート面内にプリズム形状を有し、光の放射特性を偏向させる光学シートであり、拡散シート４５を覆うように位置する。そのため、このプリズムシート４６・４７は、拡散シート４５から進行してくる光を集光させ、輝度を向上させる。なお、プリズムシート４６とプリズムシート４７とによって集光される各光の発散方向は交差する関係にある。
【００４２】
次に、ハウジングＨＧについて説明する。ハウジングＨＧである表ハウジングＨＧ１と裏ハウジングＨＧ２とは、以上のバックライトユニット４９およびそのバックライトユニット４９を覆う液晶表示パネル５９を挟み込みつつ固定する（なお、固定の仕方は、特に限定されるものではない）。すなわち、表ハウジングＨＧ１は、バックライトユニット４９および液晶表示パネル５９を裏ハウジングＨＧ２とともに挟み込み、これにより、液晶表示装置６９が完成する。
【００４３】
なお、裏ハウジングＨＧ２は、導光板セットＳＴ、拡散シート４５、プリズムシート４６・４７を、この順で積み重ねつつ収容するが、この積み重なる方向をＺ方向と称する（なお、Ｘ方向、Ｙ方向、Ｚ方向は、互いに直交する関係であってもよい）。
【００４４】
そして、以上のようなバックライトユニット４９では、ＬＥＤ４１からの光は導光板セットＳＴを経ることで面状光になって出射し、その面状光は光学シート群（４５〜４７）を通過することで発光輝度を高めたバックライト光になって出射する。そして、このバックライト光が、液晶表示パネル５９に到達し、そのバックライト光によって、液晶表示パネル５９は画像を表示させる。
【００４５】
ところで、タンデム型の導光板４３を搭載するバックライトユニット（タンデム方式バックライトユニット）４９は、導光板４３毎に出射光を制御可能なために、液晶表示パネル５９の表示領域を部分的に照射できる。そのため、このようなバックライトユニット４９は、アクティブエリア方式のバックライトユニット４９ともいえる。
【００４６】
そこで、このようなアクティブエリア方式のバックライトユニット４９による発光制御について、図１〜図１４を用いて説明する。
【００４７】
図１は、液晶表示装置６９に含まれる種々部材を示すブロック図である（なお、この図１に示されるＬＥＤ４１は、複数有るＬＥＤ４１のうちの１つである）。この図１に示すように、液晶表示装置６９は、受信部３１、映像信号処理部（制御部）１１、液晶表示パネルコントローラ３２、ＬＥＤコントローラ２１、ＬＥＤドライバー３３、およびＬＥＤ４１を含む。
【００４８】
受信部３１は、例えば、テレビの放送信号（白色矢印参照）のような映像音声信号を受信する（なお、以降では、映像音声信号に含まれる映像信号について主体的に説明していく）。そして、受信部３１は、受信した映像信号を映像信号処理部１１に送信する。
【００４９】
なお、映像信号処理部１１に送信される映像信号を、便宜上、基礎映像信号（画像データ）とし、この基礎映像信号に含まれる色映像信号（基礎色映像信号）のうち、赤色を示す信号を基礎赤色映像信号ＦＲＳ、緑色を示す信号を基礎緑色映像信号ＦＧＳ、青色を示す信号を基礎青色映像信号ＦＢＳ、とする。
【００５０】
映像信号処理部１１は、内蔵メモリ１２と、処理制御部（制御部）１３とを含む。内蔵メモリ１２は、処理制御部１３による信号への補正処理に要するルックアップテーブル（ＬＵＴ）を記憶する。なお、ＬＵＴについての詳細は後述する。
【００５１】
処理制御部１３は、受信した基礎色映像信号（画像データ）に基づいて、加工映像信号を生成する。そして、処理制御部１３は、加工映像信号を、液晶表示パネルコントローラ３２とＬＥＤコントローラ２１とに送信する。
【００５２】
なお、加工映像信号は、例えば、基礎色映像信号（基礎赤色映像信号ＦＲＳ、基礎緑色映像信号ＦＧＳ、基礎青色映像信号ＦＢＳ等）を加工処理した加工色映像信号（加工赤色映像信号ＲＳ、加工緑色映像信号ＧＳ、加工青色映像信号ＢＳ）、および加工色映像信号に関する同期信号（クロック信号ＣＬＫ、垂直同期信号ＶＳ、水平同期信号ＨＳ等）である。
【００５３】
ただし、液晶表示パネルコントローラ３２に送信される加工色映像信号と、ＬＥＤコントローラ２１に送信される加工色映像信号とは異なる。そこで、これらの加工色映像信号を区別すべく、液晶表示パネルコントローラ３２に送信される加工色映像信号を、パネル用加工赤色映像信号ＲＳｐ、パネル用加工緑色映像信号ＧＳｐ、パネル用加工青色映像信号ＢＳｐとする。
【００５４】
一方で、ＬＥＤコントローラ２１に送信される加工色映像信号（光源制御データ）を、光源用赤色映像信号ＲＳｄ、光源用緑色映像信号ＧＳｄ、光源用青色映像信号ＢＳｄとする｛なお、詳説すると、光源用色映像信号（ＲＳｄ、ＧＳｄ、ＢＳｄ）は補正処理された後に、ＬＥＤコントローラ２１に送信されるが、それについての詳細は後述する｝。
【００５５】
なお、光源用色映像信号（ＲＳｄ、ＧＳｄ、ＢＳｄ）とパネル用加工色映像信号（ＲＳｐ、ＧＳｐ、ＢＳｐ）とは、基礎色映像信号（ＦＲＳ、ＦＧＳ、ＦＢＳ）に対して以下のような関係を満たす。
【００５６】
・  基礎赤色映像信号ＦＲＳ
＝パネル用加工赤色映像信号ＲＳｐ×光源用赤色映像信号ＲＳｄ
・  基礎緑色映像信号ＦＧＳ
＝パネル用加工緑色映像信号ＧＳｐ×光源用緑色映像信号ＧＳｄ
・  基礎青色映像信号ＦＢＳ
＝パネル用加工青色映像信号ＢＳｐ×光源用青色映像信号ＢＳｄ
【００５７】
液晶表示パネルコントローラ３２は、パネル用加工赤色映像信号ＲＳｐ、パネル用加工緑色映像信号ＧＳｐ、パネル用加工青色映像信号ＢＳｐと、これら信号に関する同期信号とに基づいて、液晶表示パネル５９の画素を制御する。
【００５８】
ＬＥＤコントローラ２１は、ＬＥＤドライバー制御部２２とパルス幅変調部２３とを含む。
【００５９】
ＬＥＤドライバー制御部２２は、映像信号処理部１１からの光源用色映像信号をパルス幅変調部２３に送信する。また、ＬＥＤドライバー制御部２２は、同期信号（クロック信号ＣＬＫ、垂直同期信号ＶＳ、水平同期信号ＨＳ等）からＬＥＤ４１（詳説すると、ＬＥＤチップ４２）の点灯タイミング信号ＴＳを生成して、ＬＥＤドライバー３３に送信する。
【００６０】
パルス幅変調部２３は、パルス幅変調（Pulse  Width  Modulation；ＰＷＭ）方式で、光源用色映像信号に基づいて、ＬＥＤ４１の発光時間を調整する。なお、このようなパルス幅変調に使用される信号値をＰＷＭ信号（ＰＷＭ値）と称する。また、パルス幅変調方式とは、周知であり、例えば、バックライトを１２０Ｈｚ（１秒間に１２０回点滅、周期８．３３ｍｓ）で駆動し、その８．３３ｍｓの期間を１２ｂｉｔ（４０９６）の分割幅で制御、変化させる方式のことである。
【００６１】
ＬＥＤドライバー３３は、ＬＥＤコントローラ２１からの信号（ＰＷＭ信号、タイミング信号）に基づいて、ＬＥＤ４１を点灯制御する。
【００６２】
ＬＥＤ４１は、上述したとおり、１個のＬＥＤチップ４２Ｒ（例えば第１の光源）、２個のＬＥＤチップ４２Ｇ（例えば第２の光源）、１個のＬＥＤチップ４２Ｂ（例えば第３の光源）を含む。そして、これらのＬＥＤチップ４２は、ＬＥＤドライバー３３によって、パルス幅変調方式で点灯制御される。
【００６３】
ここで、ＬＵＴを用いた光源用色映像信号（ＲＳｄ、ＧＳｄ、ＢＳｄ）に対する補正処理について説明する。なお、この補正処理の施された光源用色映像信号（光量調整データ）は、光源用赤色映像信号ＲＳｄ’、光源用緑色映像信号ＧＳｄ’、光源用青色映像信号ＢＳｄ’と表記する（すなわち、補正処理された信号には「  ’」を付す）。
【００６４】
まず、補正処理の指針について説明する。通常、光源用色映像信号（ＲＳｄ、ＧＳｄ、ＢＳｄ）であるＰＷＭ値と、光源用色映像信号に応じて発光するＬＥＤチップ４２の輝度との関係は、図２に示すように、正比例な関係になっていると望ましい（図２で使用されるＬＥＤチップ４２は、一例として挙げたＬＥＤチップ４２Ｒであり、正比例な関係になっているグラフ線を理想グラフ線ＩＬとする）。
【００６５】
しかしながら、実際は、ＬＥＤチップ４２Ｒの発光により生じる瞬間的な発熱の影響で、ＰＷＭ値（Ｒ）とＬＥＤチップ４２Ｒの輝度とが、例えば１：１の正比例な関係にならず、理想グラフ線ＩＬからずれる（なお、このずれたグラフ線を実グラフ線ＲＬとする）。
【００６６】
そのため、このようなＬＥＤチップ４２Ｒを含むＬＥＤ４１からの白色光におけるＰＷＭ値とＬＥＤ４１による白色光の輝度との関係も、図３Ａに示すように、正比例な関係にはなりにくい（なお、図面にて、ＰＷＭ値（ＲＧＢ）は、ＬＥＤチップ４２Ｒ・ＬＥＤチップ４２Ｇ・ＬＥＤチップ４２Ｂ毎に対応するＰＷＭ値である）。そこで、この実グラフ線ＲＬと理想グラフ線ＩＬとの差（輝度ズレ）を補償することが補正処理の指針の１つとなる。
【００６７】
詳説すると、光源用色映像信号（ＲＳｄ、ＧＳｄ、ＢＳｄ）への補正処理は、図３Ａにおけるグラフ線を正比例な関係にするためのものである。そして、このような補正処理の仕方は種々有るが、一例として、一般的なルックアップテーブルを用いた補正処理が挙げられる｛なお、このようなルックアップテーブルは、上記の指針から、光源用色映像信号であるＰＷＭ値（出射光量、別表現すると発熱量）と輝度との関係に基づく補正処理を行うためのものといえる｝。
【００６８】
補正処理の一例として、３種類のＬＥＤチップ４２のうちのＬＥＤチップ４２Ｒに関する光源用赤色映像信号ＲＳｄへの補正処理を例に挙げて説明する。なお、理解を容易にすべく、比較例となる補正処理についても説明する。
【００６９】
また、このような補正処理の内容、すなわち、光源用赤色映像信号（光源制御データ）ＲＳｄがＬＵＴを用いた補正処理により、光源用赤色映像信号（光量調整データ）ＲＳｄ’になることを、図４〜図６の説明図に示す（ただし、ＬＵＴを意味する四角形内に×が記されている場合、ＬＵＴを用いた補正処理が施されないことを意味する）。
【００７０】
まず、比較例の補正処理について説明する。この補正処理では、図３Ａに示されるような実グラフ線ＲＬと理想グラフ線ＩＬとの差（輝度ズレ）を無くすように、ＬＵＴ（Ｒα）を用いて補正する（なお、ＬＵＴ以降の括弧内のＲＧＢは、そのＬＵＴ作成の基になったＬＥＤチップ４２の発光色を意味し、ＲＧＢ以降のα〜εおよび１・２は、ＬＵＴの種類を意味する）。
【００７１】
詳説すると、図４に示すように、光源用赤色映像信号ＲＳｄが、ＬＵＴ（Ｒα）で補正処理され、光源用赤色映像信号ＲＳｄ’となる。一方で、光源用緑色映像信号ＧＳｄおよび光源用青色映像信号ＢＳｄは、ＬＵＴを用いた補正処理がされず、未補正の光源用緑色映像信号ＧＳｄおよび光源用青色映像信号ＢＳｄのままである（未補正のため、「  ’」が付されない）。なお、ＬＥＤチップ４２Ｒに加えて、ＬＥＤチップ４２Ｇ・４２Ｂ毎でも、ＬＵＴ（Ｇα）・ＬＵＴ（Ｂα）を用いた補正が施される場合を図示すると、図５のように示される。
【００７２】
そして、図４のような補正処理が施された場合、図３Ａに示されるような白色光でのＰＷＭ値と輝度との関係は、図３Ｂに示されるようになる。この図３Ａと図３Ｂとを比較するとわかるように、ＰＷＭ値と輝度とが正比例な関係に近づきつつある。しかしながら、まだ、十分な正比例の関係とはいえない。そこで、図６に示されるような補正処理が施される。
【００７３】
この図６に示されるような補正処理は、図４に示される補正処理と異なっており、光源用赤色映像信号ＲＳｄは、ＬＵＴ（Ｒα）で補正処理されるだけでなく、ＬＵＴ（Ｇβ１）によっても補正処理される｛詳説すると、光源用緑色映像信号ＧＳｄ（別光源制御データ）であるＰＷＭ値に基づいて作成されたＬＵＴ（Ｇβ１）によっても補正処理される｝。
【００７４】
このような複数の補正処理が望ましい理由は、ＬＥＤチップ４２Ｒの光がそのＬＥＤチップ４２自身の瞬間的な自己発熱の影響を受けるだけでなく、隣り合う別のＬＥＤチップ４２の瞬間的な発熱の影響を受けるためである。
【００７５】
例えば、図１９ＡのようなＬＥＤチップ４２の配列の場合、ＬＥＤチップ４２Ｒ（第１の光源）は、自己発熱の影響だけでなく、２つのＬＥＤチップ４２Ｇ（第１の光源以外の別の光源）の発熱の影響を受ける。
【００７６】
そのため、ＬＥＤチップ４２Ｒに対応する光源用赤色映像信号ＲＳｄは、ＬＵＴ（Ｒα）を用いた補正処理（基礎補正処理）を施され、さらに、２つのＬＥＤチップ４２Ｇの影響を加味して作成されたＬＵＴ（Ｇβ１）を用いた補正処理（追加補正処理）を施され、光源用赤色映像信号ＲＳｄ’になる（要は、光源用赤色映像信号ＲＳｄ’は、ＬＥＤチップ４２Ｒの瞬間的な発熱量、およびそのＬＥＤチップ４２Ｒの周囲に位置するＬＥＤチップ４２Ｇ・４２Ｇの瞬間的な発熱量を考慮して生成される）。
【００７７】
つまり、バックライトユニット４９では、処理制御部１３（ひいては映像信号処理部１１）が、１つＬＥＤチップ４２の光源用色映像信号に対して、その光源用色映像信号とその１つのＬＥＤチップ４２の輝度との関係に基づいた補正処理（基礎補正処理）をＬＵＴ｛例えば、ＬＵＴ（Ｒα）｝を用いて行い、さらに、その１つのＬＥＤチップ４２以外の別のＬＥＤチップ４２の光源用色映像信号に基づいた補正処理（追加補正処理）をＬＵＴ｛例えば、ＬＵＴ（Ｇβ１）｝を用いて行う。これにより、光源用色映像信号は、新たな光源用色映像信号となる。
【００７８】
このようになっていると、図３Ｃからわかるように、ＬＥＤ４１から出射される白色光におけるＰＷＭ値と輝度との関係が、図３Ａおよび図３Ｂに比べて、正比例の関係に一層近づく。そのため、バックライトユニット４９からの出射光（白色光）が全輝度域にわたって輝度ムラを含まなくなる。
【００７９】
その上、バックライトユニット４９からの白色光の色度（ｘ）および色度（ｙ）の質改善も図られる｛なお、色度（ｘ）および色度（ｙ）とは、ＣＩＥ（Commission  Internationale  de  l'  Eclairage）により定められたＣＩＥ  Ｙｘｙ系の色度図で示される色度である｝。
【００８０】
通常、図７Ａに示すようなＬＥＤ４１におけるＰＷＭ値と色度（ｘ）との関係、および、図８Ａに示すようなＬＥＤ４１におけるＰＷＭ値と色度（ｙ）との関係では、ＰＷＭ値に依存して、変化が生じるが、本来、ＰＷＭ値に依存することなく一定の色度（ｘ）（ｙ）であるとよい。そこで、例えば、図４に示されるような補正処理が、光源用赤色映像信号ＲＳｄに施されたとする。
【００８１】
すると、この補正処理後の結果である図７Ｂに示すように、ＬＥＤ４１におけるＰＷＭ値と色度（ｘ）との関係では、色度（ｘ）のＰＷＭ値への依存性は低減される。また、同様な補正処理後の結果である図８Ｂに示すように、ＬＥＤ４１におけるＰＷＭ値と色度（ｙ）との関係でも、色度（ｙ）のＰＷＭ値への依存性は低減される。しかしながら、十分に依存性が解消されたとはいえない。そこで、図６のような補正処理が、光源用赤色映像信号ＲＳｄに施されたとする。
【００８２】
すると、この補正処理後の結果である図７Ｃに示すように、色度（ｘ）のＰＷＭ値への依存性は、図７Ｂに比べて、さらに低減される。また、同様な補正処理後の結果である図８Ｃに示すように、色度（ｙ）のＰＷＭ値への依存性は、図８Ｂに比べて、さらに低減される。つまり、ＬＥＤ４１から出射される白色光における色度（ｘ）（ｙ）のＰＷＭ値への依存性が無くなる。そのため、バックライトユニット４９からの出射光が、輝度ムラだけでなく色度ムラまでも含まなくなる。
【００８３】
なお、以上の一例では、光源用赤色映像信号ＲＳｄに対するＬＵＴ（Ｇβ１）は、図１９ＡのＬＥＤ４１におけるＬＥＤチップ４２の配置から、ＬＥＤチップ４２Ｒに対する２つのＬＥＤチップ４２Ｇ・４２Ｇの瞬間的な熱影響を加味していた。しかし、これに限定されるものでなない。すなわち、１つのＬＥＤチップ４２Ｇの熱影響を加味したＬＵＴ（Ｇβ１）であってもかまわない。
【００８４】
これは、いいかえると、２つのＬＥＤチップ４２Ｇ・４２Ｇの一方と他方とでの加味される比率を変えてＬＵＴ（Ｇβ１）が作成されてもよい。すなわち、一方のＬＥＤチップ４２Ｇの熱影響と他方のＬＥＤチップ４２Ｇの熱影響との比率を１：１として、ＬＵＴ（Ｇβ）が作成されてもよいし、比率を０：１（または１：０）として、ＬＵＴ（Ｇβ１）が作成されてもよい（もちろん、その他の比率で、ＬＵＴ（Ｇβ１）が作成されてもよい）。
【００８５】
また、図９に示すように、光源用赤色映像信号ＲＳｄは、ＬＵＴ（Ｒα）、ＬＵＴ（Ｇβ１）を用いた補正処理に加えて、ＬＵＴ（Ｂβ１）を用いた補正処理（追加補正処理）が施されてもよい｛詳説すると、光源用青色映像信号ＢＳｄであるＰＷＭ値に基づいて作成されたＬＵＴ（Ｂβ１）によっても補正処理される｝。
【００８６】
このようになっていると、バックライトユニット４９からの出射光における輝度および色度が、さらに高品質になり得る。なお、光源用赤色映像信号ＲＳｄに対するＬＵＴ（Ｂβ１）は、図１９ＡのＬＥＤ４１におけるＬＥＤチップ４２の配置から、ＬＥＤチップ４２Ｒに対する１つのＬＥＤチップ４２Ｂの瞬間的な熱影響を加味したものである。
【００８７】
ところで、一般的には、図２に示すような実グラフ線ＲＬと理想グラフ線ＩＬとの差が最も顕著に現れるＬＥＤチップ４２は、ＬＥＤチップ４２Ｒであり、その次がＬＥＤチップ４２Ｇであり、さらにその次がＬＥＤチップ４２Ｂである（すなわち、熱の影響を受け、輝度に変動が現れやすい順；ＬＥＤチップ４２Ｒ＞ＬＥＤチップ４２Ｇ＞ＬＥＤチップ４２Ｂ）。
【００８８】
また、瞬間的な発熱量の大きい順は、ＬＥＤチップ４２Ｇ、ＬＥＤチップ４２Ｒ、ＬＥＤチップ４２Ｂである（すなわち、ＬＥＤチップ４２Ｇ＞ＬＥＤチップ４２Ｒ＞ＬＥＤチップ４２Ｂ）。
【００８９】
これらを踏まえると、図１９Ａに示すようなＬＥＤチップ４２をＧＲＧＢ配列にしたＬＥＤ４１の場合、ＬＥＤチップ４２Ｒに対応する光源用赤色映像信号ＲＳｄが、例えば図４および図６に示すように補正処理されていると、白色光の輝度および色度等が、最も効率よく、高品質になるといえる。ただし、これに限定されることはなく、他のＬＥＤチップ４２に対応する光源用色映像信号が補正処理されていてもよい。
【００９０】
例えば、図１０に示すように、光源用赤色映像信号ＲＳｄは、ＬＵＴ（Ｒα）・ＬＵＴ（Ｇβ１）・ＬＵＴ（Ｂβ１）を用いた補正処理によって、光源用赤色映像信号ＲＳｄ’となり、光源用緑色映像信号ＧＳｄは、ＬＵＴ（Ｇα）を用いた補正処理によって、光源用緑色映像信号ＧＳｄ’となり、さらに、光源用青色映像信号ＢＳｄは、ＬＵＴ（Ｂα）を用いた補正処理によって、光源用青色映像信号ＢＳｄ’となってもよい｛なお、ＬＵＴ（Ｇα）・ＬＵＴ（Ｂα）は、ＬＵＴ（Ｒα）同様に、ＬＥＤチップ４２Ｇ・ＬＥＤチップ４２Ｂにおける光源用色映像信号であるＰＷＭ値と輝度との関係に基づく補正処理を行うためのものである｝。
【００９１】
また、図１１に示すように、補正処理されていてもよい。すなわち、光源用赤色映像信号ＲＳｄが、ＬＵＴ（Ｒα）・ＬＵＴ（Ｇβ１）・ＬＵＴ（Ｂβ１）を用いた補正処理によって、光源用赤色映像信号ＲＳｄ’となる。光源用緑色映像信号ＧＳｄが、ＬＵＴ（Ｇα）・ＬＵＴ（Ｒβ１）・ＬＵＴ（Ｂβ２）を用いた補正処理によって、光源用緑色映像信号ＧＳｄ’となる。光源用青色映像信号ＢＳｄが、ＬＵＴ（Ｂα）・ＬＵＴ（Ｒβ２）・ＬＵＴ（Ｇβ２）を用いた補正処理によって、光源用緑色映像信号ＧＳｄ’となる｛なお、ＬＵＴ（Ｒβ１）・ＬＵＴ（Ｒβ２）・ＬＵＴ（Ｇβ２）・ＬＵＴ（Ｂβ２）は、各色の光源用色映像信号であるＰＷＭ値に基づいて作成されたＬＵＴである｝。
【００９２】
また、以上では、複数のＬＵＴを用いて補正処理が施されていたが、これに限定されるものではない。例えば、図１２に示すように、１つのＬＵＴ（ＲＧＢγ）で、光源用赤色映像信号ＲＳｄが補正処理されてもよい。このＬＵＴ（ＲＧＢγ）は、光源用赤色映像信号ＲＳｄとＬＥＤチップ４２Ｒの輝度との関係に基づくとともに、ＬＥＤチップ４２Ｇの光源用緑色映像信号ＧＳｄに基づき、さらに、ＬＥＤチップ４２Ｂの光源用青色映像信号ＢＳｄに基づいて作成されたＬＵＴである。
【００９３】
つまり、このＬＵＴ（ＲＧＢγ）を用いた光源用赤色映像信号ＲＳｄに対する補正処理は、光源用赤色映像信号ＲＳｄに対して、その光源用赤色映像信号ＲＳｄとＬＥＤチップ４２Ｒの輝度との関係に基づいた補正処理（基礎補正処理）を施し、さらに、光源用緑色映像信号ＧＳｄおよび光源用青色映像信号ＢＳｄに基づいた補正処理（追加補正処理）を施す｛要は、基礎補正処理と追加補正処理とを統合させたＬＵＴの一例が、ＬＵＴ（ＲＧＢγ）である｝。そして、このようなＬＵＴ（ＲＧＢγ）を用いた補正処理であると、ＬＵＴを記憶する内蔵メモリ１２の記憶容量が少なくてすむので望ましい。
【００９４】
なお、このＬＵＴ（ＲＧＢγ）は、例えば、図９におけるＬＵＴ（Ｒα）・ＬＵＴ（Ｇβ１）・ＬＵＴ（Ｂβ１）を統合させたものであってもよい。また、ＬＵＴ（ＲＧＢγ）は、ＬＥＤチップ４２Ｒ、ＬＥＤチップ４２Ｇ、およびＬＥＤチップ４２Ｂの点灯の影響度を考慮されたものであってもよい。すなわち、点灯の影響度の重み付け演算をしたＬＵＴ（ＲＧＢγ）で、光源用赤色映像信号ＲＳｄが補正処理されてもよい。
【００９５】
また、当然ながら、図１３に示すように、光源用赤色映像信号ＲＳｄは、ＬＵＴ（ＲＧＢγ）を用いた補正処理によって、光源用赤色映像信号ＲＳｄ’となり、光源用緑色映像信号ＧＳｄは、ＬＵＴ（ＲＧＢδ）を用いた補正処理によって、光源用緑色映像信号ＧＳｄ’となり、さらに、光源用青色映像信号ＢＳｄは、ＬＵＴ（ＲＧＢε）を用いた補正処理によって、光源用青色映像信号ＢＳｄ’となってもよい。
【００９６】
なお、ＬＵＴ（ＲＧＢδ）は、光源用緑色映像信号ＧＳｄとＬＥＤチップ４２Ｇの輝度との関係に基づくとともに、ＬＥＤチップ４２Ｒの光源用赤色映像信号ＲＳｄに基づき、さらに、ＬＥＤチップ４２Ｂの光源用青色映像信号ＢＳｄに基づいて作成されたＬＵＴである。また、ＬＵＴ（ＲＧＢε）は、光源用青色映像信号ＢＳｄとＬＥＤチップ４２Ｂの輝度との関係に基づくとともに、ＬＥＤチップ４２Ｒの光源用赤色映像信号ＲＳｄに基づき、さらに、ＬＥＤチップ４２Ｇの光源用緑色映像信号ＧＳｄに基づいて作成されたＬＵＴである。
【００９７】
また、図１２および図１３のように、１つの光源用色映像信号に対して、その信号に対応するＬＥＤチップ４２とは異なる別の２つのＬＥＤチップ４２の影響を加味したＬＵＴに限らず、図１４に示すように、１つの光源用色映像信号に対して、その信号に対応するＬＥＤチップ４２とは異なる別の１つのＬＥＤチップ４２の影響を加味したＬＵＴであってもよいことは言うまでもない。
【００９８】
なお、図１４のＬＵＴ（ＲＧζ）は、光源用赤色映像信号ＲＳｄとＬＥＤチップ４２Ｒの輝度との関係に基づくとともに、ＬＥＤチップ４２Ｇの光源用緑色映像信号ＧＳｄに基づいて作成されたＬＵＴである。
【００９９】
［その他の実施の形態］
なお、本発明は上記の実施の形態に限定されず、本発明の趣旨を逸脱しない範囲で、種々の変更が可能である。
【０１００】
例えば、図１に示される受信部３１、映像信号処理部１１、液晶表示パネルコントローラ３２、およびＬＥＤドライバー３３のうち、一部または全部の部材は、液晶表示パネル５９に搭載されていても、バックライトユニット４９に搭載されていてもよい。要は、これら部材は、液晶表示装置６９に搭載されていればよい。ただし、上述してきた補正制御を、バックライトユニット４９単体で行う場合、少なくとも受信部３１および映像信号処理部１１は、バックライトユニット４９に搭載される。
【０１０１】
また、ＬＥＤ４１におけるＬＥＤチップ４２の配置や個数は、図１９Ａに示すＧＲＧＢ配列に限定されるものではない。例えば、図１９Ｂに示すようなＧＲＢＧ配列のＬＥＤ４１（第１の光源：ＬＥＤチップ４２Ｒ、第２の光源：ＬＥＤチップ４２Ｇ・４２Ｂ、第３の光源：ＬＥＤチップ４２Ｇ）、図１９Ｃに示すようなＲＧＧＢ配列のＬＥＤ４１（第１の光源：ＬＥＤチップ４２Ｒ、第２の光源：ＬＥＤチップ４２Ｇ、第３の光源：ＬＥＤチップ４２Ｇ）であってもかまわない。
【０１０２】
また、白色光生成のために要するＬＥＤチップ４２Ｒ・ＬＥＤチップ４２Ｇ・ＬＥＤチップ４２Ｂを各々含む（すなわち合計３つのＬＥＤチップ４２）を含むＬＥＤ４１であってもよい。また、ＬＥＤチップ４２Ｒ・ＬＥＤチップ４２Ｇ・ＬＥＤチップ４２Ｂを有しながらも合計５つ以上のＬＥＤチップ４２を含むＬＥＤ４１であってもかまわない。
【０１０３】
要は、ＬＥＤチップ４２（４２Ｒ・４２Ｇ・４２Ｂ）の配置および個数は種々考えられる。ただし、上述したように、ＬＥＤチップ４２ＲとＬＥＤチップ４２Ｇとが隣り合っている場合に、ＬＥＤチップ４２Ｒに対応する光源用赤色映像信号ＲＳｄが、補正処理されていると、白色光の輝度および色度等が、最も効率よく、高品質になるといえる。
【０１０４】
また、以上のＬＵＴを用いた補正処理では、映像信号処理部１１、詳説すると、映像信号処理部１１内部にて、処理制御部１３が内蔵メモリ１２に記憶されるＬＵＴを用いて補正処理を行っていた。しかしながら、これに限定されるものではない。例えば、内蔵メモリ１２が映像信号処理部１１ではなくＬＥＤコントローラ２１に内蔵されており、映像信号処理部１１が、ＬＥＤコントローラ２１内部の内蔵メモリ１２に記憶されるＬＵＴで、補正処理をしてもよい。
【０１０５】
また、以上では、ＬＥＤコントローラ２１におけるＬＥＤドライバー制御部２２に、補正処理後の光源用色映像信号（ＲＳｄ’、ＢＳｄ’、ＧＳｄ’）が送信されていた。つまり、ＬＥＤドライバー制御部２２の前段で、補正処理が行われていた。しかし、これに限定されるものではない。
【０１０６】
例えば、図１５に示すように、ＬＥＤコントローラ２１の内部に、処理制御部１３および内蔵メモリ１２が組み込まれており、その処理制御部１３（ひいてはＬＥＤコントローラ２１）が、パルス幅変調部２３から送信されてくる光源用色映像信号（ＲＳｄ、ＢＳｄ、ＧＳｄ）に対して、ＬＵＴを用いた補正処理をし、補正処理後の光源用色映像信号（ＲＳｄ’、ＢＳｄ’、ＧＳｄ’）をＬＥＤドライバー３３に送信してもよい。
【０１０７】
このようになっていると、パルス幅変調部２３に到達するまでに、γ補正等の種々補正処理を施された光源用色映像信号（ＲＳｄ、ＢＳｄ、ＧＳｄ）を考慮した上で、上述してきたＬＵＴを用いた補正処理が施される。そのため、補正処理後の光源用色映像信号（ＲＳｄ’、ＢＳｄ’、ＧＳｄ’）の精度が増し、確実に、バックライトユニット４９からの出射光が、輝度ムラおよび色度ムラを含まなくなる。
【０１０８】
また、以上では、くさび形の導光板４３を敷き詰めたタンデム型バックライトユニット４９を例に挙げて説明してきた。しかし、これに限定されるものではない。例えば、図１６に示すように、バックライトユニット４９では、光源であるＬＥＤ４１Ｒ、ＬＥＤ４１Ｇ、ＬＥＤ４１Ｇ、ＬＥＤ４１Ｂが集まって、混色で白色光を生成し、光学シート群（４５〜４７）に対して、直接、光を出射させてもよい（なお、ＬＥＤ４１の後に付記されるＲＧＢは発光色を意味する）。すなわち、直下型のバックライトユニット４９であってもかまわない。
【０１０９】
また、以上では、受信部３１がテレビ放送信号のような映像音声信号を受信し、その信号における映像信号を、映像信号処理部１１が処理していた。そのため、このような液晶表示装置６９は、テレビ放送受信装置ともいえる。しかし、液晶表示装置６９が処理する映像信号は、テレビ放送に限定されるものではない。例えば、映画等のコンテンツ録画した記録媒体に含まれる映像信号でも、インターネットを介して送信される映像信号であってもかまわない。
【０１１０】
ところで、処理制御部１３を内蔵する映像信号処理部１１（またはＬＥＤコントローラ２１）による補正処理は、データ生成プログラムで実現される。そして、このデータ生成プログラムは、コンピュータにて実行可能なプログラムであり、コンピュータに読み取り可能な記録媒体に記録されてもよい。なぜなら、記録媒体に記録されたプログラムは、持ち運び自在になるためである。
【０１１１】
なお、この記録媒体としては、例えば分離される磁気テープやカセットテープ等のテープ系、磁気ディスクやＣＤ−ＲＯＭ等の光ディスクのディスク系、ＩＣカード（メモリカードを含む）や光カード等のカード系、あるいはフラッシュメモリ等による半導体メモリ系が挙げられる。
【０１１２】
また、処理制御部１３は、通信ネットワークからの通信でデータ生成プログラムを取得してもよい。なお、通信ネットワークとしては、有線無線を問わず、インターネット、赤外線通等が挙げられる。
【符号の説明】
【０１１３】
１１      映像信号処理部（制御部）
１２      処理制御部（制御部）
１３      内蔵メモリ（制御部）
２１      ＬＥＤコントローラ（制御部）
２２      ＬＥＤドライバー制御部
２３      パルス幅変調部
３１      受信部
３２      液晶表示パネルコントローラ
３３      ＬＥＤチップドライバー
４１      ＬＥＤ（光源）
４１Ｒ    赤色発光のＬＥＤ（第１の光源、別の光源、第２・第３                  の光源）
４１Ｇ    緑色発光のＬＥＤ（第１の光源、別の光源、第２・第３                  の光源）
４１Ｂ    青色発光のＬＥＤ（第１の光源、別の光源、第２・第３                  の光源）
４２      ＬＥＤチップ（光源）
４２Ｒ    赤色発光のＬＥＤチップ（第１の光源、別の光源、第２・                第３の光源）
４２Ｇ    緑色発光のＬＥＤチップ（第１の光源、別の光源、第２・                第３の光源）
４２Ｂ    青色発光のＬＥＤチップ（第１の光源、別の光源、第２・                第３の光源）
４９      バックライトユニット
５９      液晶表示パネル
６９      液晶表示装置
【図１】
2010064474.tif 000003
【図２】
2010064474.tif 000004
【図３Ａ】
2010064474.tif 000005
【図３Ｂ】
2010064474.tif 000006
【図３Ｃ】
2010064474.tif 000007
【図４】
2010064474.tif 000008
【図５】
2010064474.tif 000009
【図６】
2010064474.tif 000010
【図７Ａ】
2010064474.tif 000011
【図７Ｂ】
2010064474.tif 000012
【図７Ｃ】
2010064474.tif 000013
【図８Ａ】
2010064474.tif 000014
【図８Ｂ】
2010064474.tif 000015
【図８Ｃ】
2010064474.tif 000016
【図９】
2010064474.tif 000017
【図１０】
2010064474.tif 000018
【図１１】
2010064474.tif 000019
【図１２】
2010064474.tif 000020
【図１３】
2010064474.tif 000021
【図１４】
2010064474.tif 000022
【図１５】
2010064474.tif 000023
【図１６】
2010064474.tif 000024
【図１７】
2010064474.tif 000025
【図１８】
2010064474.tif 000026
【図１９Ａ】
2010064474.tif 000027
【図１９Ｂ】
2010064474.tif 000028
【図１９Ｃ】
2010064474.tif 000029
【国際調査報告】
2010064474.tif 000030
2010064474.tif 000031
2010064474.tif 000032
2010064474.tif 000033